(57)【特許請求の範囲】
【請求項１】
フレームと、収納部材とを有し、
前記フレームは、金属材料からなり、背板と、支持部材とを有し、その内、該背板は、細長状を呈し、２つの端部の近傍に、上部に穿設される２つの掛け孔が形成され、該支持部材は、細長状を呈すると共に、該背板に設置され、連接板と、座板と、前凸部と、後凸部と、軌道とを有し、その内、該連接板は、該背板の側面底部近傍に延設されると共に、該背板と対向する遠位部を備え、
前記座板は、前記連接板の遠位部に設置され、前記背板と同一の長手方向の長さを有し、底面が該背板の底部と同一平面上であり、相対する２つの端部と、該２つの端部を貫通するように、該座板の内部に形成される断面矩形の通路と、該座板の上部に形成され、第一部分及び第二部分を有すると共に、該通路と連通するように、該背板と同一の長手方向の長さを有する開口と、該座板の端部近傍に形成され、それぞれ第一部分と第二部分との間に位置すると共に、該開口と連通する位置決め凹部とを備え、
前記前凸部は、前記座板の第一部分の上面から上側に向かって延設され、その上端に横方向に向かって前リブが延設され、
前記後凸部は、前記座板の第二部分の上面から上側に向かって延設され、その上端に横方向に向かって後リブが延設され、また、前記前リブ及び後リブは相対するように位置しており、
前記軌道は、前記前凸部と、前記後凸部と、前記座板の上部との間に形成される空間であり、
前記収納部材は、プラスチック材料からなり、前記フレームに設置され、前記軌道に挿設される底板と、結合手段と、複数の掛止柱とを有し、
前記結合手段は、前記底板の下面に延設され、外周面の反対する箇所にそれぞれ、前記位置決め凹部に係合される弧状凸部が設けられ、、
前記複数の掛止柱はそれぞれ間隔をおいて前記底板の上面に凸設されると共に、前記前リブと後リブとの間に位置することを特徴とする手工具用ホルダー。
【請求項２】
前記各掛止柱は、前記底板の上面に凸設されると共に、前記前リブと同一の厚さを有するベースと、該ベースの上面に凸設されると共に、六面体の柱体とを備えることを特徴とする請求項１に記載の手工具用ホルダー。
【請求項３】
前記各掛止柱はさらに底孔を備え、該底孔は、前記底板の底面から底板及びベースを通って柱体の内部まで穿通すると共に、上部空間を有し、
前記柱体はさらに側孔と、タブと、突出部とを有し、
その内、前記側孔は、柱体の側壁に穿設され、前記底孔の上部空間と連通し、
前記タブは、前記側孔の上側縁及び下側縁の間に形成され、
前記突出部は、前記タブの中段部分に外部へ突出するように設けられることを特徴とする請求項２に記載の手工具用ホルダー。
【請求項４】
前記各掛止柱は、前記底板の上面に凸設されると共に、前リブと同一の厚さを有するベースと、該ベースの上面に凸設されると共に、管状の柱体とを備えることを特徴とする請求項１に記載の手工具用ホルダー。
【請求項５】
前記各掛止柱はさらに底孔を備え、該底孔は、前記底板の底面に凹設されると共に、該底板及び前記ベースを通って軸方向に向かって柱体の内部まで穿通し、
前記柱体は、上壁部と、外周面から径方向へ延出する環状のフランジと、それぞれ柱体における上壁部の相対する箇所にそれぞれ形成されると共に、前記底孔と連通する２つのスリットとを備えることを特徴とする請求項４に記載の手工具用ホルダー。
【請求項６】
フレームと、収納部材とを有し、
前記フレームは、背板と、支持部材とを有し、その内、該背板は、細長状を呈し、２つの端部の近傍に、上部に穿設される２つの掛け孔が形成され、該支持部材は、細長状を呈すると共に、該背板に設置され、連接板と、座板と、前凸部と、後凸部と、軌道と、複数の結合孔とを有し、その内、該連接板は、該背板の側面底部近傍に延設されると共に、該背板と対向する遠位部を備え、
前記座板は、前記連接板の遠位部に設置され、前記背板と同一の長手方向の長さを有し、底面が該背板の底部と同一平面上であり、相対する２つの端部と、該２つの端部を貫通するように、該座板の内部に形成される断面矩形の通路と、該座板の底面に形成されると共に、該通路と連通するように、該背板と同一の長手方向の長さを有する開口とを備え、
前記前凸部は、前記座板の上面から上側に向かって延設され、
前記後凸部は、前記座板の上面から上側に向かって延設され、
前記軌道は、前記前凸部と、前記後凸部と、前記座板の上部との間に形成される空間であり、
前記複数の結合孔は、前記前凸部と後凸部との間に位置するように、間隔をおいて前記座板の上面に穿設されると共に、前記通路と連通し、
前記収納部材は、前記フレームに設置され、前記軌道に挿設される底板と、複数の結合手段と、複数の掛止柱とを有し、その内、該底板は、それぞれが前記結合孔と対応するように形成される複数の組立孔を備え、該複数の結合手段はボルト及びナットを備え、対応する組立孔を介して結合孔に螺合され、、
前記複数の掛止柱はそれぞれ間隔をおいて前記底板の上面に凸設されると共に、前記前リブと後リブとの間に位置することを特徴とする手工具用ホルダー。
【請求項７】
前記各掛止柱は、前記底板の上面に凸設されるベースと、該ベースの上面に凸設されると共に、六面体の柱体とを備えることを特徴とする請求項６に記載の手工具用ホルダー。
【請求項８】
前記各掛止柱はさらに底孔を備え、該底孔は、前記底板の底面から底板及びベースを通って柱体の内部まで穿通すると共に、上部空間を有し、
前記柱体はさらに側孔と、タブと、突出部とを有し、
その内、前記側孔は、柱体の側壁に穿設され、前記底孔の上部空間と連通し、
前記タブは、前記側孔の上側縁の間及び下側縁の間に形成され、
前記突出部は、前記タブの中段部分に外部へ突出するように設けられることを特徴とする請求項７に記載の手工具用ホルダー。
【請求項９】
前記各掛止柱は、前記底板の上面に凸設されるベースと、該ベースの上面に凸設されると共に、管状の柱体とを備えることを特徴とする請求項６に記載の手工具用ホルダー。
【請求項１０】
前記各掛止柱はさらに底孔を備え、該底孔は、前記底板の底面に穿通すると共に、底板及びベースを通って柱体の内部まで形成され、
前記柱体は、上壁部と、外周面から径方向へ延出する環状のフランジと、それぞれ柱体における上壁部の相対する箇所にそれぞれ形成されると共に、前記底孔と連通する２つのスリットとを備えることを特徴とする請求項９に記載の手工具用ホルダー。
【発明の詳細な説明】
【技術分野】
【０００１】
本発明は、特に複数の部品の組み立てを容易にすることにより、作業時間を節約をした手工具用ホルダーに関するものである。
【背景技術】
【０００２】
特許文献１に示すように、従来の手工具用ホルダーは、フレームと、複数の収納部材を有し、その内、該フレームは、側面にレールが形成され、該レールに摺動可能に該複数の収納部材が設置され、該各収納部材は、側面に延設されるベースと、該ベースに延設され、手工具を収納する掛止柱とを備えるものである。
【先行技術文献】
【特許文献】
【０００３】
【特許文献１】台湾特許第I２５９１２６号
【発明の概要】
【発明が解決しようとする課題】
【０００４】
しかしながら、従来の手工具用ホルダーにおける複数の収納部材は、一つ一つフレームのレールに装着するものであるので、作業に時間がかかるという問題があった。
【０００５】
さらに、従来の手工具用ホルダーにおけるフレームは、底部が平坦ではないことから、直立するように放置することができなく、必ず壁などに掛止しなければならないので、使用上、不便であった。
【課題を解決するための手段】
【０００６】
本発明に係る手工具用ホルダーは、フレームと、収納部材とを有し、
前記フレームは、金属材料からなり、背板と、支持部材とを有し、その内、該背板は、細長状を呈し、２つの端部の近傍に、上部に穿設される２つの掛け孔が形成され、該支持部材は、細長状を呈すると共に、該背板に設置され、連接板と、座板と、前凸部と、後凸部と、軌道とを有し、その内、該連接板は、該背板の側面底部近傍に延設されると共に、該背板と対向する遠位部を備え、
前記座板は、前記連接板の遠位部に設置され、前記背板と同一の長手方向の長さを有し、底面が該背板の底部と同一平面上であり、相対する２つの端部と、該２つの端部を貫通するように、該座板の内部に形成される断面矩形の通路と、該座板の上部に形成され、第一部分及び第二部分を有すると共に、該通路と連通するように、該背板と同一の長手方向の長さを有する開口と、該座板の端部近傍に形成され、それぞれ第一部分と第二部分との間に位置すると共に、該開口と連通する位置決め凹部とを備え、
前記前凸部は、前記座板の第一部分の上面から上側に向かって延設され、その上端に横方向に向かって前リブが延設され、
前記後凸部は、前記座板の第二部分の上面から上側に向かって延設され、その上端に横方向に向かって後リブが延設され、また、前記前リブ及び後リブは相対するように位置しており、
前記軌道は、前記前凸部と、前記後凸部と、前記座板の上部との間に形成される空間であり、
前記収納部材は、プラスチック材料からなり、前記フレームに設置され、前記軌道に挿設される底板と、結合手段と、複数の掛止柱とを有し、
前記結合手段は、前記底板の下面に延設され、外周面の反対する箇所にそれぞれ、前記位置決め凹部に係合される弧状凸部が設けられ、
前記複数の掛止柱はそれぞれ間隔をおいて前記底板の上面に凸設されると共に、前記前リブと後リブとの間に位置する。
【０００７】
前記各掛止柱は、前記底板の上面に凸設されると共に、前記前リブと同一の厚さを有するベースと、該ベースの上面に凸設されると共に、六面体の柱体とを備えることが好ましい。
【０００８】
前記各掛止柱はさらに底孔を備え、該底孔は、前記底板の底面から底板及びベースを通って柱体の内部まで穿通すると共に、上部空間を有し、
前記柱体はさらに側孔と、タブと、突出部とを有し、
その内、前記側孔は、柱体の側壁に穿設され、前記底孔の上部空間と連通し、
前記タブは、前記側孔の上側縁及び下側縁の間に形成され、
前記突出部は、前記タブの中段部分に外部へ突出するように設けられる。
【０００９】
前記各掛止柱は、前記底板の上面に凸設されると共に、前リブと同一の厚さを有するベースと、該ベースの上面に凸設されると共に、管状の柱体とを備えてもよい。
【００１０】
前記各掛止柱はさらに底孔を備え、該底孔は、前記底板の底面に凹設されると共に、該底板及び前記ベースを通って軸方向に向かって柱体の内部まで穿通し、
前記柱体は、上壁部と、外周面から径方向へ延出する環状のフランジと、それぞれ柱体における該上壁部の相対する箇所にそれぞれ形成されると共に、前記底孔と連通する２つのスリットとを備えてもよい。
【００１１】
本発明に係る手工具用ホルダーは、フレームと、収納部材とを有し、
前記フレームは、背板と、支持部材とを有し、その内、該背板は、細長状を呈し、２つの端部の近傍に、上部に穿設される２つの掛け孔が形成され、該支持部材は、細長状を呈すると共に、該背板に設置され、連接板と、座板と、前凸部と、後凸部と、軌道と、複数の結合孔とを有し、その内、該連接板は、該背板の側面底部近傍に延設されると共に、該背板と対向する遠位部を備え、
前記座板は、前記連接板の遠位部に設置され、前記背板と同一の長手方向の長さを有し、底面が該背板の底部と同一平面上であり、相対する２つの端部と、該２つの端部を貫通するように、該座板の内部に形成される断面矩形の通路と、該座板の底面に形成されると共に、該通路と連通するように、該背板と同一の長手方向の長さを有する開口とを備え、
前記前凸部は、前記座板の上面から上側に向かって延設され、
前記後凸部は、前記座板の上面から上側に向かって延設され、
前記軌道は、前記前凸部と、前記後凸部と、前記座板の上部との間に形成される空間であり、
前記複数の結合孔は、前記前凸部と該後凸部との間に位置するように、間隔をおいて前記座板の上面に穿設されると共に、前記通路と連通し、
前記収納部材は、前記フレームに設置され、前記軌道に挿設される底板と、複数の結合手段と、複数の掛止柱とを有し、
その内、該底板は、それぞれが前記結合孔と対応するように形成される複数の組立孔を備え、該複数の結合手段はボルト及びナットを備え、対応する組立孔を介して結合孔に螺合され、
前記複数の掛止柱はそれぞれ間隔をおいて前記底板の上面に凸設されると共に、前記前リブと後リブとの間に位置する。
【００１２】
前記各掛止柱は、前記底板の上面から延設されるベースと、該ベースの上面から延設されると共に、六面体を呈するを有する柱体とを備えることが好ましい。
【００１３】
前記各掛止柱はさらに底孔を備え、該底孔は、前記底板の底面から底板及びベースを通って柱体の内部まで穿通すると共に、上部空間を有し、
前記柱体はさらに側孔と、タブと、突出部とを有し、
その内、前記側孔は、柱体の側壁に穿設され、前記底孔の上部空間と連通し、
前記タブは、前記側孔の上側縁の間及び下側縁の間に形成され、
前記突出部は、前記タブの中段部分に外部へ突出するように設けられる。
【００１４】
前記各掛止柱は、前記底板の上面に凸設されるベースと、該ベースの上面に凸設されると共に、管状の柱体とを備えてもよい。
【００１５】
前記各掛止柱はさらに底孔を備え、該底孔は、前記底板の底面に穿通すると共に、底板及びベースを通って柱体の内部まで形成され、
前記柱体は、上壁部と、外周面から径方向へ延出する環状のフランジと、それぞれ柱体における上壁部の相対する箇所にそれぞれ形成されると共に、前記底孔と連通する２つのスリットとを備えてもよい。
【発明の効果】
【００１６】
本発明に係る手工具用ホルダーは、収納部材を簡単にフレームに組み立てられるので、組み立て時間を節約することができる。
【図面の簡単な説明】
【００１７】
【図１】本発明に係る手工具用ホルダーの第一実施例の斜視図である。
【図２】本発明に係る手工具用ホルダーの第一実施例の部分分解斜視図である。
【図３】本発明に係る手工具用ホルダーの第一実施例の部分拡大分解斜視図である。
【図４】本発明に係る手工具用ホルダーの第一実施例の部分拡大斜視図である。
【図５】本発明に係る手工具用ホルダーの第一実施例の部分側面断面図である。
【図６】図５の部分拡大図である。
【図７】本発明に係る手工具用ホルダーの第一実施例において、ソケットを掛止柱に掛ける状態を示す斜視図である。
【図８】本発明に係る手工具用ホルダーの第一実施例において、ソケットを掛止柱に掛ける過程を示す側面断面図である。
【図９】本発明に係る手工具用ホルダーの第二実施例の部分拡大分解斜視図である。
【図１０】本発明に係る手工具用ホルダーの第二実施例の部分拡大斜視図である。
【図１１】本発明に係る手工具用ホルダーの第二実施例の側面断面図である。
【図１２】図１１の部分拡大図である
【図１３】本発明に係る手工具用ホルダーの第二実施例において、ソケットを掛止柱に掛ける過程を示す側面断面図である。
【図１４】本発明に係る第一実施例の手工具用ホルダーを陳列ボードに掛けた状態を示す斜視図である。
【図１５】本発明に係る第一実施例の手工具用ホルダーをツールワゴンに置いた状態を示す斜視図である。
【図１６】本発明に係る手工具用ホルダーの第三実施例の斜視図である。
【図１７】本発明に係る手工具用ホルダーの第三実施例の部分分解斜視図である。
【図１８】本発明に係る手工具用ホルダーの第三実施例の部分拡大分解斜視図である。
【図１９】本発明に係る手工具用ホルダーの第三実施例の部分拡大斜視図である。
【図２０】本発明に係る手工具用ホルダーの第三実施例の側面断面図である。
【図２１】本発明に係る手工具用ホルダーの第四実施例の部分拡大分解斜視図である。
【図２２】本発明に係る手工具用ホルダーの第四実施例の部分拡大斜視図である。
【図２３】本発明に係る手工具用ホルダーの第四実施例の側面断面図である。
【図２４】本発明に係る手工具用ホルダーの第四実施例において、ソケットを回転可能に掛止柱に掛ける状態を示す斜視図である。
【発明を実施するための形態】
【００１８】
以下、添付図面を参照して本発明の適切な実施の形態を詳細に説明する。
【００１９】
図１乃至図５に示すように、本発明に係る手工具用ホルダーにおける第一実施例は、フレーム１０と、収納部材２０とを有し、その内、該フレーム１０は、金属材料からなり、背板１１と、支持部材１２とを有する。
【００２０】
前記背板１１は、細長状のプレートを呈し、２つの掛け孔１１１とを備え、該掛け孔１１１はそれぞれ、２つの端部近傍に位置するように、上部に穿設される。
【００２１】
前記支持部材１２は、背板１１に設置され、連接板１２１と、座板１２２と、前凸部１２３と、後凸部１２４と、軌道１２５とを有し、その内、該連接板１２１は、前記背板１１における側面底部近傍に延設されると共に、該背板１１と対向する遠位部を備える。
【００２２】
前記座板１２２は、前記連接板１２１の遠位部に設置され、前記背板１１と同一の長手方向の長さを有し、その底面は、平坦状であると共に、該背板１１の底部と同一平面上であり、更に、該座板１２２は、相対する２つの端部と、その２つの端部を貫通するように、該座板１２２の内部に形成される通路１２２１と、開口１２２２と、位置決め凹部１２２３とを備える。、
【００２３】
前記開口１２２２は、前記通路１２２１と連通するように、座板１２２の上部に穿設されると共に、前記背板１１と同一の長手方向の長さを有するものであり、更に、該開口１２２２には、座板１２２の上部両側に第一部分及び第二部分が形成される。
【００２４】
前記位置決め凹部１２２３は、前記開口１２２２と連通するように、前記座板１２２の端部近傍における、第一部分の内側と第二部分の内側に形成される。
【００２５】
前記前凸部１２３は、前記座板１２２の第一部分の上面から上側に向かって延設されると共に、その上端に横方向に向かって前リブ１２３１が延設され、また、前記後凸部１２４は、前記座板１２２の第二部分の上面から上側に向かって延設されると共に、その上端に横方向に向かって後リブ１２４１が延設され、また、該前リブ１２３１及び後リブ１２４１は、互いに相対する位置する。
【００２６】
前記軌道１２５は、前凸部１２３と、後凸部１２４と、座板１２２の上部との間に形成される空間であり、該座板１２２の開口１２２２と連通する。
【００２７】
前記収納部材２０は、プラスチック材料からなり、前記フレーム１０に設置され、前記軌道１２５に挿設される底板２１と、結合手段２２と、複数の掛止柱２３とを有する。図６に示すように、前記結合手段２２は、前記底板２１の一端近傍下面に延設され、円形を呈し、外周面の反対する箇所にそれぞれ、前記位置決め凹部１２２３に係合される弧状凸部が設けられる。
【００２８】
前記複数の掛止柱２３はそれぞれ所定の間隔をおいて底板２１の上面に凸設されると共に、前記前リブ１２３１と後リブ１２４１との間に位置し、更に、該各掛止柱２３は、ベース２３１と、柱体２３２と、底孔２３３とを備え、その内、該ベース２３１は、底板２１の上面に凸設されると共に、該前リブ１２３１と同一の厚さを有するものであり、一方、該柱体２３２は、該ベース２３１の上面に凸設されると共に、六面体を呈するものであり、また、該底孔２３３は、該底板２１の底面から底板２１及びベース２３１を通って柱体２３２の内部まで穿通すると共に、上部空間を有するものである。
【００２９】
さらに、前記柱体２３２は、側孔２３２１と、タブ２３２２と、突出部２３２３とを有し、その内、該側孔２３２１は、該柱体２３２の側壁に穿設され、前記底孔２３３の上部空間と連通し、該タブ２３２２は、側孔２３２１の上側縁の間と下側縁との間に設けられ、中段部分を備えるものであり、該突出部２３２３は、該タブ２３２２の中段部分に外部へ突出するように設けられることが好ましい。
尚、前記掛止柱２３は、必ずしも底孔２３３や、タブ２３２２、突出部２３２３を有しなくてもよく、ソケットレンチのソケット３０が掛止できればよい。
【００３０】
図７及び図８に示すように、第一実施例における手工具用のホルダーにソケット３０を収納する時は、単に該ソケット３０の内周面により突出部２３２３を底孔２３３側へ押圧するようにタブ２３２２をやや湾曲させることによって、掛止柱２３に冠着させればよく、ソケット３０が掛止柱２３に冠着すると、該タブ２３２２が復位して柱体２３２がソケット３０の係合凹部３１に係合されるので、ソケット３０をしっかりと掛止柱２３に掛けることができる。
【００３１】
図３及び図４に示すように、収納部材２０とフレーム１０とを組み合わせる時は、該収納部材２０の底板２１を、フレーム１０の一側から軌道１２５に挿入し、結合部材２２を位置決め凹部１２２に係合させれば、組み立てが完成する。また、前記フレーム１０は、金属材料からなると共に、開口１２２２を有することから、可撓性及び柔軟性を備えるので、結合手段２２を開口１２２２から位置決め凹部１２２３にスムーズに係合させることができる。
【００３２】
また、第一実施例における手工具用のホルダーは、結合手段２２がスムーズに開口１２２２において摺動できることから、該結合手段２２の位置決め凹部１２２３への係合や、位置決め凹部１２２３から取り外しが極めて容易であり、更には、収納部材２０のフレーム１０への取り付けや、フレーム１０からの取り外しも容易となるので、組み立て時間の節約となる。
【００３３】
図９乃至図１２に示すように、本発明に係る手工具用ホルダーにおける第二実施例は、フレーム１０Ａと、収納部材２０Ａとを有し、その内、前記フレーム１０Ａは、第一実施例のフレーム１０と同様に、背板１１Ａと、掛け孔１１１Ａと、支持部材１２Ａと、連接板１２１Ａと、座板１２２Ａと、前凸部１２３Ａと、後凸部１２４Ａと、通路１２２１Ａと、開口１２２２Ａと、位置決め凹部１２２３Ａと、前リブ１２３１Ａと、後リブ１２４１Ａと、軌道１２５Ａとを備えるものである。
【００３４】
前記収納部材２０Ａは、殆ど第一実施例の収納部材２０と同一であり、底板２１Ａと、結合手段２２Ａと、複数の掛止柱２３Ａとを備えるものである。
【００３５】
さらに、前記各掛止柱２３Ａは、管状を呈する柱体２３２Ａと、底板２１Ａの底面に凹設されると共に、該底板２１Ａ及び前記ベース２３１Ａを通って軸方向に向かって柱体２３２Ａの内部まで穿通する底孔２３３Ａとを有し、、その内、該柱体２３２Ａは、上壁部２３２４Ａと、外周面から径方向へ延出する環状のフランジ２３２５Ａと、それぞれ柱体２３２Ａにおける上壁部２３２４Ａの相対する箇所にそれぞれ形成されると共に、該底孔２３３Ａと連通する２つのスリット２３２６Ａとを備える。
【００３６】
図９、図１１及び図１３に示すように、第二実施例における手工具用のホルダーに、ソケット３０Ａを収納する時は、単にソケット３０Ａの内周面によりフランジ２３２５Ａを押圧してスリット２３２６Ａを縮小させれば、該ソケット３０Ａを柱体２３２Ａに挿し込んで収納することができる。そして、前記ソケット３０Ａが掛止柱２３Ａに収納されると、前記フランジ２３２５Ａが復位してソケット３０Ａの係合凹部３１Ａに係合され、ソケット３０Ａが掛止柱２３Ａにしっかりと固定される。
【００３７】
また、図１４に示すように、第一実施例における手工具用のホルダーは、ボルトにより掛け孔１１１を介して陳列ボード４０にしっかりと固定されると共に、図１５に示すように、第一実施例における手工具用のホルダーは、底面の座板１２２が平坦状であることから、上面が平坦である物体であれば何処にでも置くことができ、例えば、ツールワゴン５０の上面に置いても倒れずに直立状態を維持することができる。
【００３８】
第一実施例及び第二実施例における手工具用のホルダーは、収納部材２０、２０Ａに複数の掛止柱２３、２３Ａが設置されることから、複数のソケット３０、３０Ａを収納することができる。また、前記収納部材２０、２０Ａは、簡単且つスムーズにフレーム１０、１０Ａと組み合わせることができるので、組み立て時間を節約できると共に、利便性にも優れている。
【００３９】
図１６乃至図２０に示すように、第三実施例における手工具用のホルダーは、その殆どが第一実施例と同様に、フレーム１０Ｂと、収納部材２０Ｂとを有し、その内、該フレーム１０Ｂは、その殆どが第一実施例のフレーム１０と同様に、背板１１Ｂと、掛け孔１１１Ｂと、支持部材１２Ｂと、連接板１２１Ｂと、座板１２２Ｂと、前凸部１２３Ｂと、後凸部１２４Ｂと、通路１２２１Ｂと、開口１２２２Ｂと、軌道１２５Ｂとを備えるものである。
【００４０】
前記支持部材１２Ｂにはさらに、複数の結合孔１２６Ｂが形成されるが、第一実施例における、位置決め凹部１２２３や、前リブ１２３１、後リブ１２４１は形成されていなく、また、該開口１２２２Ｂは、座板１２２Ｂの底面に形成され、該複数の結合孔１２６Ｂは、通路１２２１Ｂと連通するように、座板１２２Ｂの上面における、前記前凸部１２３Ｂと後凸部１２４Ｂとの間に所定の間隔をおいて穿設される。
【００４１】
前記収納部材２０Ｂは、その殆どが第一実施例における収納部材２０と同様に、底板２１Ｂと、結合手段２２Ｂと、複数の掛止柱２３Ｂとを備え、その内、該底板２１Ｂはそれぞれ前記結合孔１２６Ｂと対応するように、複数の組立孔２１１Ｂが形成される。このように、前記収納部材２０Ｂは、複数の結合手段２２Ｂを備えるが、第一実施例のような結合手段２２は設置されていない。しかしながら、前記収納部材２２Ｂは、対応する組立孔２１１Ｂを介して結合孔１２６Ｂに螺合されるので、前記収納部材２０Ｂをフレーム１０Ｂにしっかりと固定することができる。
【００４２】
尚、前記各結合手段２２Ｂは、ボルト及びナットを備えることが好ましく、該ボルトは、収納部材２０Ｂの上面から、対応する組立孔２１１Ｂを介して結合孔１２６Ｂに挿入され、支持部材１２Ｂの下面からナットで螺合することにより、該収納部材２０Ｂをフレーム１０Ｂに組み合わせる。
【００４３】
図２１乃至図２３に示すように、第四実施例における手工具用のホルダーは、フレーム１０Ｃと、収納部材２０Ｃとを有し、その内、該フレーム１０Ｃは、その殆どが第三実施例のフレーム１０Ｂと同様に、背板１１Ｃと、掛け孔１１１Ｃと、支持部材１２Ｃと、連接板１２１Ｃと、座板１２２Ｃと、前凸部１２３Ｃと、後凸部１２４Ｃと、通路１２２１Ｃと、開口１２２２Ｃと、軌道１２５Ｃと、結合孔１２６Ｃとを備えるものである。
【００４４】
第四実施例における掛止柱２３Ｃは、その殆どが第二実施例の掛止柱２３Ａと同様に、ベース２３１Ｃと、柱体２３２Ｃと、底孔２３３Ｃと、上壁部２３２４Ｃと、フランジ２３２５Ｃと、２つのスリット２３２６Ｃとを備えるものである。
【００４５】
図２４に示すように、ソケット３０Ｃは、外周面にサイズ表示が付されるものがあるが、それは、ソケット３０Ｃを回転させながらプレス加工処理を行って形成したものであり、ソケット３０Ｃに付いたサイズ表示は、普通に、はっきりと展示し難く、例えば、ソケット３０Ｃが従来の手工具用のホルダーに掛けられる場合に、対応した掛止柱２３を中心としてソケット３０Ｃを回転することができないので、サイズ表示をユーザーに向けて見せるように調整することが不可能である。この第四実施例には、複数のソケット３０Ｃがそれぞれ掛止柱２３Ｃに掛けられる時に、各ソケット３０Ｃが対応した掛止柱２３Ｃを中心として、自由に回転することが可能であり、例えば、右回り又は左回りに回転することができ、サイズ表示を簡単に調整すると、ユーザーに分かりやすいように展示することができる。
【産業上の利用可能性】
【００４６】
上述したように、本発明に係る手工具用のホルダーは上記の構成を有することから、収納部材を簡単にフレームに組み合わせることができることから、組み立ての時間を節約できると共に、ソケットを掛止柱に収納しても、自由に回転させてソケットの外周面に付されたサイズ表示を確認することができるので、実用性に優れている。
【符号の説明】
【００４７】
１０、１０Ａ、１０Ｂ、１０Ｃ                    フレーム
１１、１１Ａ、１１Ｂ、１１Ｃ                    背板
１１１、１１１Ａ、１１１Ｂ、１１１Ｃ        掛け孔
１２、１２Ａ、１２Ｂ、１２Ｃ                    支持部材
１２１、１２１Ａ、１２１Ｂ、１２１Ｃ        連接板
１２２、１２２Ａ、１２２Ｂ、１２２Ｃ        座板
１２２１、１２２１Ａ、１２２１Ｂ、１２２１Ｃ    通路
１２２２、１２２２Ａ、１２２２Ｂ、１２２２Ｃ    開口
１２２３、１２２３Ａ     位置決め凹部
１２３、１２３Ａ、１２３Ｂ、１２３Ｃ        前凸部
１２３１、１２３１Ａ     前リブ
１２４、１２４Ａ、１２４Ｂ、１２４Ｃ        後凸部
１２４１、１２４１Ａ     後リブ
１２５、１２５Ａ、１２５Ｂ、１２５Ｃ        軌道
１２６Ｂ、１２６Ｃ       結合孔
２０、２０Ａ、２０Ｂ、２０Ｃ                    収納部材
２１、２１Ａ、２１Ｂ     底板
２１１Ｂ                 組立孔
２２２２Ａ、２２Ｂ       結合手段
２３、２３Ａ、２３Ｂ、２３Ｃ                    掛止柱
２３１、２３１Ａ、２３１Ｃ                      ベース
２３２、２３２Ａ、２３２Ｃ                      柱体
２３２１                 側孔
２３２２                 タブ
２３２３                 突出部
２３３、２３３Ａ、２３３Ｃ                      底孔
２３２４Ａ、２３２４Ｃ   上壁部
２３２５Ａ、２３２５Ｃ   フランジ
２３２６Ａ、２３２６Ｃ   スリット
３０、３０Ａ、３０Ｃ     ソケット
３１、３１Ａ             係合凹部
４０                     陳列ボード
５０                    ツールワゴン
【図１】
0005478522.tif 000002
【図２】
0005478522.tif 000003
【図３】
0005478522.tif 000004
【図４】
0005478522.tif 000005
【図５】
0005478522.tif 000006
【図６】
0005478522.tif 000007
【図７】
0005478522.tif 000008
【図８】
0005478522.tif 000009
【図９】
0005478522.tif 000010
【図１０】
0005478522.tif 000011
【図１１】
0005478522.tif 000012
【図１２】
0005478522.tif 000013
【図１３】
0005478522.tif 000014
【図１４】
0005478522.tif 000015
【図１５】
0005478522.tif 000016
【図１６】
0005478522.tif 000017
【図１７】
0005478522.tif 000018
【図１８】
0005478522.tif 000019
【図１９】
0005478522.tif 000020
【図２０】
0005478522.tif 000021
【図２１】
0005478522.tif 000022
【図２２】
0005478522.tif 000023
【図２３】
0005478522.tif 000024
【図２４】
0005478522.tif 000025